(57)【要約】      （修正有）【課題】小規模共同住宅用エレベータ等において、既存の表示装置を利用して、簡易にエレベータの走行回数値を表示し、適切に運行管理者がエレベータの走行回数を管理できること。【解決手段】エレベータの装置は、エレベータのかご５の走行回数をカウントして走行回数値を発生するカウント部と、かご５の昇降位置に基づいて第１の表示を成すインジケータ部１０１と、エレベータに設けられ、キーにより開放可能な蓋１１１を有する箱体の内部に設けられると共に、操作に基づき切換え信号を発生する押し釦スイッチ１２０と、切換え信号の発生により、走行回数値に基づいて第２の表示を第１の表示に代えてインジケータ部１０１に表示する表示制御部と、を備えたものであ。【選択図】図２
2020033143.tif 000002
【特許請求の範囲】
【請求項１】
エレベータのかごの走行回数をカウントして走行回数値を発生するカウント手段と、
前記かごの昇降位置に基づいて第１の表示を成す表示手段と、
前記エレベータに設けられ、キーにより開放可能な蓋を備えた箱体の内部に設けられると共に、操作している時に限り、切換え信号を発生する第１のスイッチ手段と、
前記切換え信号を発生により、前記走行回数値に基づいて第２の表示を前記第１の表示に代えて前記表示手段に表示する表示制御手段と、
を備えたことを特徴とするエレベータの装置。
【請求項２】
前記切換え信号が所定の時間発生していないことを検出して、警告信号を発生するスイッチ検出手段を備え、
前記表示制御手段は、前記警告信号に基づいて前記表示手段に警告に関する表示をする、
ことを特徴とする請求項１に記載のエレベータの装置。
【請求項３】
前記カウント手段は、一時間当たり積算した第１の走行回数値と、一日毎に積算した第２の走行回数値を発生し、
前記第１及び第２の走行回数値を記憶する走行回数記憶手段と、
前記切換え信号に発生により、前記走行回数記憶手段に記憶された前記第１及び第２の走行回数値に基づいて、一周期における前記切換え信号が発生した時までの実績走行可数値と、前記一周期における切換え信号が発生した後の残りの時間に基づく予測した第１の予測走行回数値とを求めて、前記実績走行回数値及び前記第１の予測走行回数値に基づいて前記一周期の走行回数値を予測した第２の予測走行回数値を求める走行回数予測手段と、
前記第２の予測走行回数値が基準走行回数値を越えるか否かを判断して、越えると判断すると超過信号を発生する判断手段とを備え、
前記表示制御手段は、前記切換え信号及び前記超過信号に基づいて、前記第２の予測走行回数値が前記基準走行回数値を越えることを前記表示手段に表示する、
ことを特徴とする請求項１又は２に記載のエレベータの装置。
【請求項４】
前記判断手段は、前記基準走行回数値と前回の前記一周期の積算走行回数値との差分を前記基準走行回数値に足して、新たな基準走行回数値とする、
ことを特徴とする請求項３に記載のエレベータの装置。
【請求項５】
前記箱体の内部に設けられ、操作することにより運転制限信号を発生する第２のスイッチ手段と、
前記運転制限信号及び前記超過信号の発生に基づいて前記エレベータの走行回数を制限する走行回数制限手段と、
を備えたことを特徴とする請求項３に記載のエレベータの装置。
【請求項６】
前記判断手段は、前記第２の予測走行回数値が前記基準走行回数値以下になると判断すると第１の解除指令信号を発生し、前記走行回数制限手段は、前記第１の解除指令信号に基づいて前記走行回数の制限を解除する、
ことを特徴とする請求項５に記載のエレベータの装置。
【請求項７】
前記走行回数制限手段による走行回数の制限を解除する第２の解除指令信号を発生する解除手段を備え、
前記走行回数制限手段は、前記第２の解除指令信号に基づいて前記走行回数の制限を解除する、
ことを特徴とする請求項５に記載のエレベータの装置。
【発明の詳細な説明】
【技術分野】
【０００１】
本発明は、エレベータの装置に関し、特に、小規模建物用、小規模共同住宅を対象にしたエレベータ等(以下、小規模共同住宅用エレベータという)の走行回数管理に関するものである。
【背景技術】
【０００２】
エレベータでは、走行回数を収集して、これを部品交換等の目安にすることが行われている。下記特許文献１に記載のように、エレベータの走行回数値をデジタル表示して、走行回数値が所定値を超えるとアラームを表示するものが示されており、これにより、機械系の給油指示や摩耗部品の交換指示をする旨が記載されている。したがって、エレベータの保守の効率化に寄与し得る。
【０００３】
また、下記特許文献２に記載のように、エレベータの度数計が計数したエレベータの走行回数値が保守点検を実施すべき基準値を超えるかを比較器で監視し、また積算時間計が計数したエレベータの稼動積算時間が基準値を超えるかを監視して、監視センタの表示部に表示して、保守点検を効率的にすることが記載されている。これにより、保守点検の効率化を図ることができる。
【先行技術文献】
【特許文献】
【０００４】
【特許文献１】実開昭５５−３２３８０号公報
【特許文献２】特開平５−１７８５５７号公報
【発明の概要】
【発明が解決しようとする課題】
【０００５】
上記特許文献１及び２ともに、エレベータの走行回数を計数することにより、エレベータの使用機器の寿命を適切に管理し、使用機器の交換を円滑にして、保守の合理化を図り得る。
しかしながら、小規模建物用など向け、例えば、定格が停止階５階、定員３名、速度２０ｍ／ｍｉｎのエレベータでは、使用機器の寿命などの観点から、一日当たりの走行回数が所定値として例えば、１５０回を越えないように運用されることが好ましいとされている。これは、エレベータの毎日の走行回数値を適切管理することで、使用機器の寿命を適切に維持するという趣旨のもとに制定されている。
【０００６】
一方、一日当たりの上記走行回数値を余りに厳格に管理し過ぎると、つまり、一日当たり走行回数値が１５０回を越える場合、運行管理者が一律にエレベータを停止すると、エレベータの利用者には、極めて不都合を生じかねない。発明者は、上記小規模共同住宅用エレベータ等では、運行管理者等の操作に限り、エレベータの走行回数値を既存のかご位置等を表示するインジケータ等の表示手段を用いて簡易に表示することを見出した。
運行管理者等は、インジケータに表示されたかごの走行回数値を確認して、この走行回数値が一日当たり１５０回を越えても、諸般の事情等も考慮して必要に応じて、かごの走行回数制限を行い得るようにして、エレベータのサービスの低下を防ぎつつ、エレベータの使用機器の寿命を適切に維持できる。
【０００７】
本発明は、上記のような課題を解決するためになされたもので、小規模共同住宅用エレベータ等において、既存のインジケータ等の表示手段を利用して、運行管理者等に限って、簡易にエレベータの走行回数値などを表示し、運行管理者等が適切な判断によりエレベータの走行回数を管理できるエレベータの装置を提供することを目的とする。
【課題を解決するための手段】
【０００８】
第１の発明に係るエレベータの装置は、エレベータのかごの走行回数をカウントして走行回数値を発生するカウント手段と、
前記かごの昇降位置に基づいて第１の表示を成す表示手段と、
前記エレベータに設けられ、キーにより開放可能な蓋を備えた箱体の内部に設けられると共に、操作している時に限り、切換え信号を発生する第１のスイッチ手段と、
前記切換え信号を発生により、前記走行回数値に基づいて第２の表示を前記第１の表示に代えて前記表示手段に表示する表示制御手段と、を備えたことを特徴とするものである。
【０００９】
このようなエレベータの装置によれば、かごの昇降位置に基づく第１の表示をする表示手段を用いて、運行管理者等がキーを用いて蓋を開放した後、第１のスイッチ手段を動作することにより、エレベータの走行回数値に基づく第２の表示を上記第１の表示から切換えて表示手段に表示することができる。これにより、運行管理者などは、表示手段に表示されたエレベータの各種の走行回数値を確認することにより、必要に応じて、エレベータの走行回数を制限することができるので、小規模共同住宅用エレベータ等の走行回数値を適切に管理することができる。しかも、エレベータの停止によるサービス低下も抑え得る。さらに、かごの昇降位置を表示可能な表示手段を用いて、第１のスイッチ手段が動作している時に限り、エレベータの走行回数値に基づく第２の表示が可能となる。したがって、一つの表示手段により第１及び第２の表示をするので、共用化が可能となる。加えて、第１又は第２の表示を切換えるので、両方の表示をする場合に比較して表示手段が小型化できる。
ここに、表示手段は、乗場に設けられても良いが、かご内に設置されていることが好ましい。かご内の乗客が昇降位置として走行階を認識する必要性が高いので、かご内の表示手段が必須となり、乗場にインジケータ手段が設けられないことがあるからである。
【００１０】
ここで、第２の表示とは、エレベータの一日当たりの走行回数値、エレベータの一周期の予測走行回数値、曜日毎の走行回数値、曜日毎のヒストグラム表示を例示できる。
また、第１のスイッチ手段をモーメンタリ型とすることが好ましい。これは、運行管理者等が第１のスイッチ手段を操作（オン）している時に限り、表示手段に第２の表示をするので、第１のスイッチ手段をオンからオフへの戻し忘れによるかごの昇降位置に基づく第１の表示が表示手段に表示されなくなることを防止できる。
【００１１】
第２の発明に係るエレベータの装置は、前記切換え信号が所定の時間発生していないことを検出して、警告信号を発生するスイッチ検出手段と、
前記表示制御手段は、前記警告信号に基づいて前記表示手段に警告に関する表示をする、ことが好ましい。
これにより、スイッチ検出手段は第１のスイッチ手段が一定時間動作として、例えば、一週間動作していないことを検知して、すなわち、運行管理者などがエレベータの走行回数値を適切に確認していいないと、警告信号を発生して表示手段に警告表示をする。したがって、エレベータの利用者は、運行管理者などが適切に管理していないことを容易に確認できるようになる。
【００１２】
第３の発明に係るエレベータの装置は、前記カウント手段は、一時間当たり積算した第１の走行回数値と、一日毎に積算した第２の走行回数値を発生し、
前記第１及び第２の走行回数値を記憶する走行回数記憶手段と、
前記切換え信号に発生により、前記走行回数記憶手段に記憶された前記第１及び第２の走行回数値に基づいて、一周期における前記切換え信号が発生した時までの実績走行可数値と、前記一周期における切換え信号が発生した後の残りの時間に基づく予測した第１の予測走行回数値とを求めて、前記実績走行回数値及び前記第１の予測走行回数値に基づいて前記一周期の走行回数値を予測した第２の予測走行回数値を求める走行回数予測手段と、
前記第２の予測走行回数値が基準走行回数値を越えるか否かを判断して、越えると判断すると超過信号を発生する判断手段とを備え、
前記表示制御手段は、前記切換え信号及び前記超過信号に基づいて、前記第２の予測走行回数値が前記基準走行回数値を越えることを前記表示手段に表示する、ことが好ましい。
【００１３】
このようなエレベータの装置によれば、走行回数予測手段は、切換え信号の発生した時までの実績走行回数値と、一周期の残り時間に基づいて記憶手段に記憶された第１及び第２の走行回数値に基づいて第１の予測走行回数値を求め、実績走行回数値と第１の予測走行回数値とから、一周期の走行回数値を予測して第２の予測走行回数値を求める。そして、判断手段が第２の予測走行回数値が基準走行回数値を越えるか否かを判断して越えると判断すると超過信号を発生し、表示制御手段は超過信号に基づいて、基準走行回数値を越えることを表示手段に表示する。これにより、一周期のエレベータの第２の予測走行回数値が基準走行回数値に達する前に表示手段に表示できるので、運行管理者等は、エレベータの走行回数制限等が行い易くなる。
【００１４】
第４の発明に係るエレベータの装置における前記判断手段は、前記基準走行回数値と前回の前記一周期の積算走行回数値との差分を前記基準走行回数値に足して、新たな基準走行回数値とする、ことが好ましい。
これにより、一周期当たり基準走行回数値を少なくとも前回の一周期の積算走行回数値と基準走行回数値との差分を基準走行回数値に足して、新たな基準走行回数値とする。これにより、前回の一周期の走行回数値が基準走行回数値よりも増加又は減少を今回の基準走行回数値に反映できる。これにより、判断手段が適切な基準走行回数値に基づいて超過信号を発生することになるので、エレベータの走行回数値の制限を適切に管理できる。したがって、エレベータの停止によるサービスが低下を適切に防止できる。一方、エレベータの使用機器の寿命を考慮して基準走行回数値を適切な値にしているので、エレベータの使用機器の寿命も適切に管理できる。
【００１５】
第５の発明に係るエレベータの装置は、前記箱体の内部に設けられ、操作することにより運転制限信号を発生する第２のスイッチ手段と、
前記運転制限信号及び前記超過信号の発生に基づいて前記エレベータの走行回数を制限する走行回数制限手段と、を備えることが好ましい。
これにより、運行管理者等は、表示手段の第２の表示を確認して第２のスイッチ手段を操作すると、走行回数制限手段がエレベータの走行回数を制限する。したがって、運行管理者などにエレベータの走行回数値の制限の判断を委ねて、エレベータの走行回数値を適正に制限に管理できる。なお、走行回数制限手段としては、呼び信号が発生しても、かごを一定時間経過しないと起動しなかったり、かごの走行そのものを停止したりすることを例示できる。
【００１６】
第６の発明に係るエレベータの装置における前記判断手段は、前記一周期の予測走行回数値が前記基準走行回数値以下になると判断すると第１の解除指令信号を発生し、前記走行回数制限手段は、前記第１の解除指令信号に基づいて前記走行回数の制限を解除する、ことが好ましい。
これにより、第１の解除指令信号の発生により走行回数制限手段による走行回数の制限を解除するので、エレベータの走行回数を適切に制限できる。したがって、エレベータのサービスの低下を抑制できる。
【００１７】
第７の発明に係るエレベータの装置は、前記走行回数制限手段による走行回数の制限を解除する第２の解除指令信号を発生する解除手段を備え、
前記走行回数制限手段は、前記第２の解除指令信号に基づいて前記走行回数の制限を解除する、ことが好ましい。
解除手段からの第２の解除指令信号の発生に基づいて、走行回数制限手段の解除するようにしても良い。したがって、病人などの緊急時にエレベータを利用したい場合に対応が可能となる。解除手段とは、各乗場に設けられたカードリーダと、特定のものが所有すると共に、カードリーダの読み取りにより解除指令信号を発生するカードを例示できる。
【発明の効果】
【００１８】
本発明によれば、小規模共同住宅用エレベータにおいて、既存の表示装置を利用して、簡易にエレベータの走行回数値を表示して、適切に運行管理者がエレベータの走行回数を管理できるエレベータの装置を提供することができる。
【図面の簡単な説明】
【００１９】
【図１】本発明の一実施の形態によるエレベータの装置の全体図である。
【図２】図１に示すエレベータの装置におけるインジケータ及び操作箱の平面図である。
【図３】本発明の一実施の形態によるエレベータ装置における電気系統のブロック図である。
【図４】図２による走行回数記憶部の記憶内容を示す模式図（ａ）、予測走行回数値を求める説明図（ｂ）である。
【図５】図１に示すインジケータの表示の通常表示と走行回数表示とを示す模式図である。
【図６】図１によるエレベータの装置におけるインジケータ部の表示切換え動作を示すフローチャート（ａ）、インジケータ部に警告表示の動作を示すフローチャート（ｂ）である。
【図７】図１によるエレベータの装置により基準走行回数値を超える動作を示すフローチャートである。
【図８】本発明の他の実施の形態による電気系統のブロック図である
【図９】他の実施形態によるエレベータの走行回数の一周期を求める曲線図である。
【発明を実施するための形態】
【００２０】
実施の形態１．
本発明の一実施の形態を図１から図５によって説明する。図１は、本発明の一実施の形態によるエレベータの装置の全体正面図である。図１において、個人住宅などに施設されるエレベータ１は、五停止で各階にかご５の乗場を有する五階建ての住宅に設置されており、かご５の一端部５ａにロープ９の一端部が連結固定され、昇降路３の上部に設けられた吊り車１１を介して、ロープ９の他端部が昇降路３の下部に設けられた巻上機１３の巻胴１３ａに連結固定されている。巻胴１３ａの軸に回転軸が連結固定されたモータ２２を有している。乗場には、各フロアにかご５に走行指令を与える乗場呼び装置３１〜３５が設けられており、かご５内には、かご５の階床位置とかご５の走行回数値などを表示する表示装置１００を有している。なお、各階に設けられた乗場呼び装置３１〜３５には、カードリーダ５１〜５５が各階に設けられており、カードの情報を読み取るように形成されている。
【００２１】
図２において、表示装置１００は、かご５の位置と、かご５の走行回数に関する表示とを切換えて表示する表示手段としてのインジケータ部１０１と、スイッチ類が内蔵された管理箱１１０とを有している。管理箱１１０は箱状で、蓋１１１の表面がインジケータ部１０１と面一に形成され、箱体１１０ｈがかご５の内部に埋め込まれている。蓋１１１は、運行管理者が所有するキーを挿入するキー溝１１３を備え、ヒンジ１１５により一端部１１１ａを中心に回動可能に形成されている。管理箱１１０は、通常時、キーにより施錠されて蓋１１１により閉鎖されており、キーにより施錠が解除されて蓋１１１が開放するように形成されている。なお、蓋１１１には、取っ手１１０ｔが設けられている。
【００２２】
管理箱１１０の内部には、手で押している時のみオンとなって、切換え信号を発生し、離すとオフとなって、切換え信号がオフすると共に、モーメンタリ型である第１のスイッチ手段としての押し釦スイッチ１２０が設けている。同様に、管理箱１１０の内部には、オルタネート型で、オンすると運転制限信号を発生する第２のスイッチ手段としての運転制限スイッチ１３０も設けられている。さらに、インジケータ部１０１には、運行管理者などが押し釦スイッチ１２０を所定時間内に操作しないと、警告点滅１５０を発生するように形成されている。
【００２３】
図３において、電気系統のブロック図は、図１に示す乗場などの呼び装置３１〜３５からの呼び信号により、モータ２２を駆動制御するモータ駆動制御部２０１を有しており、モータ駆動制御部２０１からのモータ２２の運転信号、すなわち、かご５の走行回数をカウントして走行回数値を発生するカウント部２０３を有し、カウント部２０３から発生する走行回数値が走行回数記憶部２０５に入力される。カウント手段としてのカウント部２０３では、一時間毎の走行回数値、曜日毎の走行回数値、一周期毎の走行回数値をカウントする。そして、図４（ａ）において、走行回数記憶手段としての走行回数記憶部２０５には、カウント部２０３によりカウントした一時間毎の走行回数値と、一日毎で曜日毎の走行回数値を２４時間に分けて、一時間毎の走行回数値と曜日毎の走行回数値とをマトリクス状に記憶している。ここでは、一ヶ月分の走行回数値が記憶されているが、これより多い６カ月分でも良い。６ヶ月間を越えると、記憶が上書きされるように形成されている。
【００２４】
エレベータ１の走行回数の一周期は、特に、休日と平日とでは、休日は一般に会社、学校が休みとなることから、曜日毎の生活スタイルが異なる。これに伴い、エレベータ１の利用形態、すなわち、走行回数も異なる。したがって、エレベータ１の走行回数の一周期を一週間とする。このため、走行回数記憶部２０５には、月曜日から日曜日までの曜日毎の走行回数値と、その曜日内における一時間当たりの走行回数値を２４時間対応で記憶されている。
【００２５】
図３及び図４（ｂ）において、走行回数予測手段としての走行回数予測部２０７は、エレベータ１の一周期の走行回数値を実績の走行回数値により予測している。いま、水曜日の１３時に運行管理者が押し釦スイッチ１２０を押したとすると、走行回数予測部２０７は、一周期の開始となる月曜日から水曜日の１３時までを実績走行回数値を求める。次に、水曜日の１３時から一周期の最後となる日曜日の２４時までを予測した第１の予測走行回数値を求める。ここで、第１の予測走行回数値は、走行回数記憶部２０５に記憶された前週の水曜日の１３時間から日曜日の２４時までの走行回数値を求めて、この走行回数値を参照して予測する。そして、今回の積算走行回数値と第１の予測走行回数値とを足して一周期の第２の予測走行回数値を求める。
【００２６】
ところで、今回（今週）の走行積算回数値が、前回（前週）の走行積算回数値を越えているようであれば、第１の予測走行回数値もこの傾向が続くものとして求める。つまり、今回の走行回数積算値／前回の走行回数積算値による比を乗算して、第１の予測走行回数値を求める。これにより、第１の予測走行回数値が走行回数実績値を考慮して、より良い予測が可能となり、第２の予測走行回数値の精度も向上し得るからである。
【００２７】
判断手段としての判断部２０９は、一周期の予測走行回数値が基準走行回数値を除算した値が１を越えるか否かで判断して越えると、超過信号を発生して表示制御部２５０と走行回数制限部２８０に入力するようにしている。また、判断部２０９は、上記１を越えにないと判断すると、解除指令信号を走行回数制限部２８０に入力されるようにしている。ここで、基準走行回数値は、一日あたり１５０回として、一周期が一週間であるから、一周期では１０５０回となる。基準走行回数値は、固定でも良いが、好ましくは、走行回数値の把握がエレベータ１の使用機器の寿命を適切に管理するためであるから、積算の走行回数値が使用機器の寿命に影響する。したがって、前回の一周期の走行回数値が７００回であったとすれば、前回は３５０回の余裕があったことになる。判断部２０９は、この回数３５０を基準走行回数値１０５０回に加えて、新たな基準走行回数値を１４００回としても良い。
なお、短時間に走行回数値が増加した場合には、モータ駆動制御部２０１の一部を成すインバータの温度センサ（図示せず）が温度上昇を検出して、短時間で過度な走行回数値になることを抑制している。
【００２８】
表示制御手段としての表示制御部２５０は、押し釦スイッチ１２０が押されると、切換え信号の発生により、図５に示すように走行回数値に基づいて生成された第２の表示を第１の表示に切換えて表示するように形成されている。スイッチ検出手段としての押し釦検出部２７０は、押し釦スイッチ１２０が所定の時間押されていないことを切換え信号が発生していないことから検出して、警告信号を表示制御部２５０に入力され、表示制御部２５０は、上記警告信号の発生によりインジケータ部１０１に警告に関する表示として警告灯１５０を表示するように形成されている。さらに、表示制御部２５０は、切換え信号及び超過信号に基づいて、一周期の予測走行回数値が基準走行回数値を越えることをインジケータ部１０１に表示するように形成されている。
なお、位置検出部２２１は、モータ２２の回転角度をエンコーダ２４により検出して、かご５の昇降位置を求めて位置検出信号を発生して表示制御部２５０がインジケータ部１０１にかご５の階床及びかご５の走行方向を生成して第１の表示をするように形成されている。
【００２９】
インジケータ部１０１は、切換え信号が発生していいない通常時には、かご５の上昇又は下降の走行方向の矢印と、かご５が位置する階床とを表示している。すなわち、かご５の昇降位置に基づく第１の表示をしている。インジケータ部１０１は、押し釦スイッチ１２０が押されて切換え信号が発生すると、本日の走行回数値と、一周期の予測走行回数値と、一周期の予測走行回数値が基準走行回数を越えると、運転制限信号の発生が「有」と表示され、さらに曜日毎の走行回数値をヒストグラム表示するように形成されている。すなわち、エレベータ１の走行回数値に基づく第２の表示をしている。なお、第１の表示、第２の表示は上記例示の一つが表示されていれば足りる。
【００３０】
走行回数制限手段としての走行回数制限部２８０は、管理箱１１０の内部に設けられてトグルスイッチ１３０がオンして運転制限信号を発生している状態で、判断部２０９からの超過信号が発生すると、かご５が走行して停止した後、所定時間経過しないと、かご５の次の走行を不可とするように形成されている。これにより、エレベータ１の走行回数が制限できる。走行回数が制限されるようになると、第２の予測走行回数値が低下することになる。判断部２０９は、第２の予測走行回数値が基準走行回数値以下になると判断すると第１の解除指令信号を発生し、走行回数制限部２８０は、第１の解除指令信号に基づいて走行回数の制限を解除するように形成されている。
なお、走行回数制限部２８０によりかご５の走行を制限する時間帯を限定しても良い。元々、走行回数値が低い時間帯を除いても良く、例えば、２０:００〜５:００までは、走行回数制限を不可としても良い。
【００３１】
また、図１に示すように、小規模住宅エレベータを利用する小規模住宅の住民が所有するカード７０を各階の乗場呼び装置３１〜３５に設けられたカードリーダ５１〜５５の一つにかざすことにより、カードリーダ５１〜５５の一つがカード７０の情報としの解除情報を読み取り、第２の解除指令信号が発生して走行回数制限部２８０に入力されると、エレベータ１の走行回数制限が解除されるように形成されている。ここで、カードリーダ５１〜５５の何れか一つとカード７０とにより解除手段を成している。
【００３２】
上記のように構成されたエレベータの装置におけるインジケータ部の表示を第１の表示から第２の表示に切換える動作を図１から図６によって説明する。
＜インジケータ部に走行回数値の表示＞
特に、図６（ａ）を参照しつつ説明する。図６（ａ）は、図１によるエレベータの装置におけるインジケータ部の表示切換え動作を示すフローチャートである。いま、運行管理者がかご５内に乗り込み、図２に示すように、管理箱１００の蓋１１１をキーにより開放し、押し釦スイッチ１２０を押して（ステップＳ１０１）、切換え信号を発生すると、表示制御部２５０は、図５に示すようにインジケータ部１０１にかご５の本日の走行回数値と、第２の予測走行回数値としての一周期の予測走行回数値と、第２の予測走行回数値が基準走行回数値を越えるか否かと、エレベータの走行回数を制限する運転制限信号の発生の有無と、さらに、今回の一週間の走行回数値を曜日毎にヒストグラム１０５ｈにした第２の表示する（ステップＳ１０５）。その後、運行管理者が押し釦スイッチ１２０を離すと（Ｓ１０１）、切換え信号が消滅して、インジケータ部１０１は、上記第２の表示から、かご５の昇降位置に基づく第１の表示に切換える（Ｓ１０３）。なお、ステップＳ１０１において、押し釦スイッチ１２０が押されないと、インジケータ部１０１にはかご位置を表示する第１の表示モードなる（ステップＳ１０３）。
【００３３】
＜押し釦スイッチが一定時間押されない場合の動作＞
特に、図６（ｂ）を参照しつつ説明する。図６（ｂ）は、インジケータ部に警告表示の動作を示すフローチャートである。いま、押し釦検知部２７０は、運行管理者が押し釦スイッチ１２０を押したか否かを検知して（ステップＳ２０１）、押されない状態が所定時間、例えば、一週間経過するか否かを判断して押されない状態が一週間経過すると、警告信号を発生し（ステップＳ２０３）、表示制御部２５０を介してインジケータ部１０１に警告表示１５０を点滅する（ステップＳ２０５）。これにより、利用者がエレベータの走行回数の管理が不十分なことに気づき得る。
【００３４】
上記のように構成されたエレベータの装置の動作として、特に第２の予測走行回数値が基準走行回数値を越えた場合の動作を図１から図５、図７によって説明する。図７は、図１によるエレベータの装置により基準走行回数値を超える動作を示すフローチャートである。
＜エレベータの運転制限動作＞
呼び信号の発生により、モータ駆動制御部２０１は、モータ２２を駆動してかご５を上昇又は下降すると共に、かご５を走行させるため走行信号を発生すると（ステップＳ３０１）、カウント部２０３は、かご５の走行回数をカウントして走行回数値を走行回数記憶部２０５に入力する。
【００３５】
走行回数記憶部２０５では、図４（ａ）に示すように曜日毎で、時間毎の走行回数値をマトリクス状に記憶する（ステップＳ３０５）。走行回数予測部２０７は、走行回数記憶部２０５から読み出した上記走行回数値とから、所定のタイミングにより、一周期の第２の予測走行回数値を求めて、判断部２０９に入力する（ステップＳ３０７）。判断部２０９は、第２の予測走行回数値が基準走行回数値を超えるか否かを判断して、越えると判断すると、超過信号を走行回数制限部２８０に入力する（ステップＳ３０９）。この超過信号が発生している状態で、運行管理者が管理箱１１１内に設けられた運転制限スイッチ１３０をオンすると（ステップＳ３１１）、走行回数制限部２８０は、呼びが発生しても、モータ駆動制御部２０１を介して、かご５の起動を一定時間遅らせる走行回数制限運転によりモータ２２を駆動制御することで実行する（ステップＳ３１３）。
【００３６】
これにより、エレベータ１の走行回数が抑制される。引き続き走行回数予測部２０７は、所定のタイミングにより、一周期の第２の走行回数値を予測して判断部２０９に入力すると、判断部２０９は、第２の予測走行回数値が基準走行回数値を越えなくなり、第１の解除指令信号を走行回数制限部２８０に入力することにより、走行回数制限運転が終了する。
【００３７】
本実施の形態によれば、かご５内に設けられ、かご位置等の第１の表示するインジケータ部１０１を用いて、一周期の予測走行回数値等の第２の表示を第１の表示に代えて表示するようにしたので、インジケータ部１０１に第１又は第２の表示をすることにより、小型化を図ると共に、共用化が可能となる。
【００３８】
実施形態２.
実施形態１では、走行回数の一周期を一週間としたが、本実施形態では、一周期を実際の走行回数値により求めるものである。走行回数の一周期の求め方を、図８及び図９を参照して説明する。図８は、他の実施形態による電気系統のブロック図、図９は、他の実施形態によるエレベータの走行回数の一周期を求める曲線図である。図８において、走行回数記憶部２０５の出力が一周期スイッチ３０２を介して、一周期算出部３１０の入力を開放・閉成するように形成されている。ここに、一周期スイッチ３０２は、管理箱１１０内に設けられた第３のスイッチ手段としての一周期切換えスイッチ（図示せず）の切換えに連動して動作するように形成されている。
【００３９】
一周期算出手段としての一周期算出部３１０は、エレベータ１の曜日毎の積算走行回数値の傾向が変化する変位点と月曜日との間を一周期とみなして求める。一周期算出部３１０は、走行回数記憶部２０５に記憶された曜日毎の走行回数値を読み出して、図８に示すように、曜日毎（一日毎）の走行回数値をＹ軸上にプロットして、Ｘ軸上に曜日毎（一日毎）として、得られた走行回数曲線が月曜日を起点として増加した日と、減少して増加した日との境を終点として、起点と終点とを含む日数が一周期としても良い。この例では、月曜日が起点となり、走行回数値が木曜日まで増加して木曜日から金曜日にかけて減少して、金曜日から土曜日にかけて増加する。よって、終点が金曜日となるので、月曜日から金曜日までの４ヶ日間が一周期となる。一周期算出部３１０は、上記のように走行回数の一周期を求めて、走行回数予測部２０７に入力することにより、走行回数予測部２０７は、この一周期を用いて、走行回数値を予測することになる。
【００４０】
本発明は、上記発明の実施の形態の説明に何ら限定されるものではない。特許請求の範囲の記載を逸脱せず、当業者が容易に想到できる範囲で種々の変形態様も本発明に含まれる。
例えば、かご５内のインジケータ部１０１にかご５の走行回数値などを表示するようにしたが、乗場などに設けられたインジケータ部１０１に第２の表示をしても良い。また、図８に示す一周期スイッチ３０２を設けることなく、走行回数記憶部２０５の出力を一周期算出部３１０へ入力しても良い。
【符号の説明】
【００４１】
１  エレベータ、５  かご、１３  巻上機、２２  モータ、１０１  インジケータ部、１１０ｈ  箱体、１１１  蓋、１１３  キー溝、１２０  押し釦スイッチ、１３０  運転制限スイッチ、２０３  カウント部、２０５  走行回数記憶部、２０７  走行回数予測部、２０９  判断部、２５０  表示制御部、２７０  押し釦検知部、２８０  走行回数制限部、３１０  一周期算出部。
【図１】
2020033143.tif 000003
【図２】
2020033143.tif 000004
【図３】
2020033143.tif 000005
【図４】
2020033143.tif 000006
【図５】
2020033143.tif 000007
【図６】
2020033143.tif 000008
【図７】
2020033143.tif 000009
【図８】
2020033143.tif 000010
【図９】
2020033143.tif 000011